(57)【要約】【課題】作業台に足を載せたまま移動することができる作業台を提供する。【解決手段】本発明に係る作業台１は、左足を載せる左側踏部１１ａを有する左側作業台１０ａと、右足を載せる右側踏部１１ｂを有する右側作業台１０ｂと、を有し、左側作業台１０ａは、左足を載せる左側足載部１２ａを有するとともに、右側作業台１０ｂは、右足を載せる右側足載部１２ｂを有する。各足載部１２ａ，１２ｂは、各足を抜き差し可能に形成される。【選択図】図１
2020079549.tif 000002
【特許請求の範囲】
【請求項１】
左側踏部を有する左側作業台と、右側踏部を有する右側作業台と、を有する作業台であって、
前記左側作業台は、前記左足を載せる左側足載部を有するとともに、
前記右側作業台は、前記右足を載せる右側足載部を有することを特徴とする作業台。
【請求項２】
前記各足載部は、前記各足を差し込みつつ載せることを特徴とする請求項１に記載の作業台。
【請求項３】
前記各足載部は、前記各足を抜き差し可能に形成されることを特徴とする請求項２に記載の作業台。
【請求項４】
前記左側踏部を支持し下方に延びる左側支持構造を有するとともに、前記右側踏部を支持し下方に延びる右側支持構造を有し、前記各支持構造は、下端の寸法が、前記各踏部の寸法よりも小さい寸法に設定されることを特徴とする請求項１乃至請求項３のうちいずれか一項に記載の作業台。
【請求項５】
前記左側支持構造は、前記左側踏部に対し少なくとも下端が外側に突出するように形成される部分を有するとともに、
前記右側支持構造は、前記右側踏部に対し少なくとも下端が外側に突出するように形成される部分を有することを特徴とする請求項４に記載の作業台。
【請求項６】
前記左側支持構造は、前記左側踏部に対し外側に傾斜するように形成される左側傾斜部を有するとともに、
前記右側支持構造は、前記右側踏部に対し外側に傾斜するように形成される右側傾斜部を有することを特徴とする請求項４に記載の作業台。
【請求項７】
前記左側支持構造は、前記左側踏部に対し直交するように形成される左側直交部を有するとともに、
前記右側支持構造は、前記右側踏部に対し直交するように形成される右側直交部を有し、
前記各直交部は、内側面側および／または前面側に設けられることを特徴とする請求項５または請求項６に記載の作業台。
【請求項８】
前記各踏部は、扇形とすることを特徴とする請求項５乃至請求項７のいずれか一項に記載の作業台。
【請求項９】
前記各踏部は、円形または楕円形の扇形とすることを特徴とする請求項８に記載の作業台。
【請求項１０】
前記各踏部は、１／４円形または１／４楕円形とすることを特徴とする請求項９に記載の作業台。
【請求項１１】
前記各傾斜部は、前記１／４円形または前記１／４楕円形の円弧部の下方に形成され、前記各直交部は、前記１／４円形または前記１／４楕円形の２本の半径部の下方に形成されることを特徴とする請求項１０に記載の作業台。
【請求項１２】
前記各支持構造は、前記各踏部から下方に直線状にかつ棒状に延びる第１の支持脚部乃至第３の支持脚部を有し、
前記第１支持脚部は、前記半径部の一端であって前記１／４円形または前記１／４楕円形の中心を含む前記各踏部の隅部から下方に垂下し、
前記第２の支持脚部および前記第３の支持脚部は、前記半径部と前記円弧部との結点を含む前記踏部の隅部から前記直交部に沿ってかつ前記傾斜部に沿って下方に延びることを特徴とする請求項１１に記載の作業台。
【請求項１３】
前記各支持構造は、第４の支持脚部を有し、
前記第４の支持脚部は、前記円弧部の中間部から下方に傾斜するように延びることを特徴とする請求項１２に記載の作業台。
【請求項１４】
前記各支持構造は、前記各傾斜部および前記各直交部に左右方向に延びて前記支持脚部間を連結する連結部を有することを特徴とする請求項１２または請求項１３に記載の作業台。
【請求項１５】
前記各連結部は、前記各傾斜部に設けられ、前記円弧部の形状に沿って湾曲する湾曲連結部と、前記直交部に設けられ、前記半径部の形状に沿って直線的に形成される直線連結部と、を有することを特徴とする請求項１４に記載の作業台。
【請求項１６】
前記各支持構造は、前記各踏部から下方に板状に延びることを特徴とする請求項１１に記載の作業台。
【請求項１７】
前記各前面側の直交部は、前方に突出する突出部を有し、前記突出部は、弾力性を有する材料で形成されることを特徴とする請求項７乃至請求項１６のうちいずれか一項に記載の作業台。
【請求項１８】
前記突出部は、前記各前面側の上部側に設けることを特徴とする請求項１７に記載の作業台。
【発明の詳細な説明】
【技術分野】
【０００１】
本発明は、作業台に関し、特に左側踏部を有する左側作業台と、右側踏部を有する右側作業台と、を有する作業台に関する。
【背景技術】
【０００２】
従来から所定の高さでの作業時に広く作業台が用いられている。この作業台は、例えば、特許文献１に示すように、両足で作業台に乗りながら作業に使用される。
【先行技術文献】
【特許文献】
【０００３】
【特許文献１】特開２０１０−２２２８４７号公報
【発明の概要】
【発明が解決しようとする課題】
【０００４】
ところで、所定の高さでの作業は、位置を変えながら行うことが多い。しかしながら、従来の作業台では位置を変えて作業する場合、使用者が作業台からいちいち降りて作業台の位置を変えなければならず極めて煩雑であった。このため、作業台に足を載せたまま移動することができる作業台の開発が望まれていた。特に、タクシー等の営業用車両の業界では、洗車する頻度が非常に多く、前記作業台の開発が熱望されていた。
【０００５】
本発明は、このような事情に鑑みてなされたものであり、作業台に足を載せたまま移動することができる作業台を提供することを目的とする。
【課題を解決するための手段】
【０００６】
上記目的を達成するため、本発明に係る作業台は、左側踏部を有する左側作業台と、右側踏部を有する右側作業台と、を有する作業台であって、前記左側作業台は、前記左足を載せる左側足載部を有するとともに、前記右側作業台は、前記右足を載せる右側足載部を有することを特徴とする。
【０００７】
本発明によれば、左側踏部を有する左側作業台と、右側踏部を有する右側作業台と、を有し、前記左側作業台は、前記左足を載せる左側足載部を有するとともに、前記右側作業台は、前記右足を載せる右側足載部を有することとしたので、作業台に足を載せたまま移動することができる。
【０００８】
前記各足載部は、前記各足を差し込みつつ載せることができる。
前記各足載部は、前記各足を抜き差し可能に形成されることとすれば、足が作業台に固定されることがなく、作業時に使用者が倒れる恐れがあっても、足を足載部から抜くことができ、安全性を向上させることができる。
【０００９】
前記左側踏部を支持し下方に延びる左側支持構造を有するとともに、前記右側踏部を支持し下方に延びる右側支持構造を有し、前記各支持構造は、下端の寸法が、前記各踏部の寸法よりも小さい寸法に設定されることとすれば、屋外で作業する場合に、石や異物等の上に支持部の下端が乗ることによりバランスを失うことが少なくなり、安全性を更に向上させることができる。
【００１０】
前記左側支持構造は、前記左側踏部に対し少なくとも下端が外側に突出するように形成されるとともに、前記右側支持構造は、前記右側踏部に対し少なくとも下端が外側に突出するように形成されることとすれば、地面に対し作業台を安定して接地させることができる。
【００１１】
より詳しくは、前記左側支持構造は、前記左側踏部に対し外側に傾斜するように形成される左側傾斜部を有するとともに、前記右側支持構造は、前記右側踏部に対し外側に傾斜するように形成される右側傾斜部を有することとすれば、地面に対し作業台を鋭角的に接地させることができるので、安全性を更に一層向上させることができる。
【００１２】
前記左側支持構造は、前記左側踏部に対し直交するように形成される左側直交部を有するとともに、前記右側支持部は、前記右側踏部に対し直交するように形成される右側直交部を有し、前記各直交部は、内側面側および／または前面側に設けられることとすれば、作業の対象物が前方にある場合あっても、対象物に接触することが少なくなり対象物の損傷や作業者が倒れることを少なくすることができる。また、左側作業台と右側作業台の内側面側が接触することにより作業者が倒れることを少なくすることができる。
【００１３】
前記各踏部は、扇形とすることができる。
前記各踏部は、円形または楕円形の扇形とすることができる。
前記各踏部は、１／４円形または１／４楕円形とすることができる。
前記各傾斜部は、前記１／４円形または前記１／４楕円形の円弧部の下方に形成され、前記各直交部は、前記１／４円形または前記１／４楕円形の２本の半径部の下方に形成されることができる。
【００１４】
前記各支持構造は、前記各踏部から下方に直線状にかつ棒状に延びる第１の支持脚部乃至第３の支持脚部を有し、前記第１支持脚部は、前記半径部の一端であって前記１／４円形または前記１／４楕円形の中心を含む前記各踏部の隅部から下方に垂下し、前記第２の支持脚部および前記第３の支持脚部は、前記半径部と前記円弧部との結点を含む前記踏部の隅部から前記直交部に沿ってかつ前記傾斜部に沿って下方に延びることとすれば、支持脚部により踏部を確実に支持することができる。
【００１５】
前記各支持構造は、第４の支持脚部を有し、前記第４の支持脚部は、前記円弧部の中間部から下方に傾斜するように延びることとすれば、支持脚部により踏部を更に確実に支持することができる。
【００１６】
前記各支持構造は、前記各傾斜部および前記各直交部に左右方向に延びて前記支持脚部間を連結する連結部を有することとすれば、支持脚部による踏部の支持を強固に行うことができる。
【００１７】
前記各連結部は、前記各傾斜部に設けられ、前記円弧部の形状に沿って湾曲する湾曲連結部と、前記直交部に設けられ、前記半径部の形状に沿って直線的に形成される直線連結部と、を有することとすれば、踏部の形状に沿うように支持部材が連結され、支持脚部による踏部の支持を更に強固に行うことができる。
【００１８】
前記各支持構造は、前記各踏部から下方に板状に延びることとすることができる。
【００１９】
前記各前面側の直交部は、前方に突出する突出部を有し、前記突出部は、弾力性を有する材料で形成されることとすれば、作業台の前面側が作業の対象物と接触する場合にあっても対象物が損傷することを少なくすることができる。
【００２０】
前記突出部は、前記各前面側の上部側に設けることとすれば、作業台が対象物に接触する場合にあっても作業台の下端側は接触し辛く、作業者が倒れる等の危険を少なくすることができる。
【発明の効果】
【００２１】
本発明によれば、作業台に足を載せたまま移動することができる。
【図面の簡単な説明】
【００２２】
【図１】本発明の実施形態に係る作業台の構成を示す平面図である。
【図２】本発明の実施形態に係る作業台の構成を示す側面図である。
【図３】同作業台における左側作業台の構成を示す図で、（ａ）は平面図、（ｂ）は正面図、（ｃ）は側面図である。
【図４】同作業台の右側作業台の構成を示す図で、（ａ）は平面図、（ｂ）は正面図、（ｃ）は側面図である。
【図５】同作業台の効果を説明するための平面図である。
【図６】同作業台の別の効果を説明するための平面図である。
【図７】同作業台の更に別の効果を説明するための平面図である。
【図８】同作業台の変形例を示す平面図である。
【図９】同作業台の別の変形例を示す平面図である。
【図１０】同作業台の更に別の変形例を示す平面図である。
【図１１】同作業台の更にまた別の変形例を示す平面図である。
【図１２】同作業台のまた更に別の変形例を示す平面図である。
【図１３】同作業台の他の変形例を示す平面図である。
【図１４】同作業台の更に他の変形例を示す平面図である。
【図１５】同作業台の更にまた他の変形例の構成を示す図で、（ａ）は平面図、（ｂ）は正面図、（ｃ）は側面図、（ｄ）は（ａ）のＡＡ断面図である。
【図１６】同作業台のまた更に他の変形例の構成を示す図で、（ａ）は平面図、（ｂ）は正面図、（ｃ）は側面図、（ｄ）は（ａ）のＢＢ断面図である。
【図１７】同作業台の異なる変形例の構成を示す図で、（ａ）は平面図、（ｂ）は正面図、（ｃ）は側面図、（ａ）はＣＣ断面図である。
【発明を実施するための形態】
【００２３】
以下、図面を参照して、本発明の実施形態に係る作業台を詳細に説明する。図１は、本発明の実施形態に係る作業台１の構成を示す平面図、図２は、同作業台１の側面図、図３は、同作業台１における左側作業台１０ａの構成を示す図、図４は、同作業台１の右側作業台１０ｂの構成を示す図、図５は、同作業台１の効果を説明するための平面図、図６は、同作業台１の別の効果を説明するための平面図、図７は、同作業台１の更に別の効果を説明するための平面図である。
【００２４】
なお、図１に示すように、作業台１は、内面側１０ａ１，１０ｂ１に形成される一方の直交部１５ａ１，１５ｂ１が対向するように使用されるとともに、突出部１７ａ，１７ｂが設けられる他方の直交部１５ａ２，１５ｂ２が対象物１００と対向するように使用されるため、この使用状態を基準として前後、左右、上下を定義するものとする。また、作業台１とは、踏台、脚立、ステップ装置等を含み、所定の高さで作業を行うときに用いられる作業者が乗る台をいうものとする。
【００２５】
すなわち、作業台１は、図１に示すように、突出部１７ａ，１７ｂが設けられる他方の直交部１５ａ２，１５ｂ２側を前方、その反対側を後方、一方の直交部１５ａ１，１５ｂ１が設けられる側およびその反対側を側方、図２に示すように、踏部１１ａ，１１ｂが設けられる側を上方、その反対側を下方として以下説明するものとする。
【００２６】
これらの図に示すように、作業台１は、所定の高さを有するとともに、天板部に足を載せる板状の踏部１１ａ，１１ｂを有し、各踏部１１ａ，１１ｂは、扇形より詳しくは１／４円形の形状に形成されている。
【００２７】
すなわち、作業台１は、図３に示すように、左足を載せる板状の左側踏部１１ａを有する左側作業台１０ａと、図４に示すように、右足を載せる板状の右側踏部１１ｂを有する右側作業台１０ｂと、を有しており、左側作業台１０ａと右側作業台１０ｂは、対称な形状に形成されている。そして、左側作業台１０ａは、左足を差し込みつつ載せる左側足載部１２ａを有し、右側作業台１０ｂは、右足を差し込みつつ載せる右側足載部１２ｂを有している。
【００２８】
各足載部１２ａ，１２ｂは、各踏部１１ａ，１１ｂの上面１０ａ´，１０ｂ´に設けられており、前部および側部が閉塞するとともに、後部に開口１２ａ´，１２ｂ´が形成されている。このため、後部の開口１２ａ´，１２ｂ´から足を差し込むことができ、かつ、差し込んだ足を抜くことができる等、各足載部１２ａ，１２ｂは、各足を抜き差し可能に形成されている。
【００２９】
また、左側作業台１０ａは、左側踏部１１ａを支持し下方に延びる左側支持構造１３ａを有し、右側作業台１０ｂは、右側踏部１１ｂを支持し下方に延びる右側支持構造１３ｂを有している。各支持構造１３ａ，１３ｂは、後述するように棒状の第１の支持脚部１３ａ１，１３ｂ１乃至第４の支持脚部１３ａ４，１３ｂ４と連結部１６ａ，１６ｂを含んでおり、下端の寸法が、各踏部１１ａ，１１ｂの寸法よりも小さい寸法に設定されている（各支持構造１３ａ，１３ｂは、下端に至るまで棒状のため、各踏部１１ａ，１１ｂの寸法すなわち各踏部１１ａ，１１ｂの面積よりも小さい寸法となっている）。
【００３０】
左側支持構造１３ａは、左側傾斜部１４ａを有して、左側踏部１１ａに対し少なくとも下端が外側に突出するように形成されるとともに、右側支持構造１３ｂは、右側傾斜部１４ｂを有して、右側踏部１１ｂに対し少なくとも下端が外側に突出するように形成されている。
【００３１】
より詳しくは、左側踏部１１ａに対し外側に傾斜するように形成される左側傾斜部１４ａを有し、右側支持構造１３ｂは、右側踏部１１ｂに対し外側に傾斜するように形成される右側傾斜部１４ｂを有している。各傾斜部１４ａ，１４ｂは、各踏部１１ａ，１１ｂにおける扇形より詳しくは１／４円形の円弧部１１ａ´，１１ｂ´更に詳しくは円弧部１１ａ´，１１ｂ´を含む円弧状の縁部から下方にかつ外側に傾斜するように形成されている（各傾斜部１４ａ，１４ｂは、後述する第２の支持脚部１３ａ２，１３ｂ２、第３の支持脚部１３ａ３，１３ｂ３、第４の支持脚部１３ａ４，１３ｂ４を含み、各踏部１１ａ，１１ｂとの間隔を下方に行くにしたがって漸次広げることにより外側に傾斜するように形成される）。
【００３２】
また、左側支持構造１３ａは、左側踏部１１ａから垂下し左側踏部１１ａに対し直交するように形成される左側直交部１５ａを有し、右側支持構造１３ｂは、右側踏部１１ｂから垂下し右側踏部１１ｂに対し直交するように形成される右側直交部１５ｂを有している。
【００３３】
各直交部１５ａ，１５ｂは、左側作業台１０ａと右側作業台１０ｂとが相互に対向する内側面側１０ａ１，１０ｂ１および前面側１０ａ２，１０ｂ２に設けられる。各直交部１５ａ，１５ｂは、各踏部１１ａ，１１ｂにおける扇形より詳しくは１／４円形の半径部分となる２本の直線部１１ａ´´，１１ｂ´´更に詳しくは直線部１１ａ´´，１１ｂ´´を含む縁部から下方にかつ各踏部１１ａ，１１ｂに対し直交するように形成されている（各直交部１５ａ，１５ｂは、第１の支持脚部１３ａ，１３ｂを含んでいる）。
【００３４】
このように各直交部１５ａ，１５ｂを、内側面側１０ａ１，１０ｂ１および前面側１０ａ２，１０ｂ２に設けることとすれば、作業の対象物１００が前方にある場合あっても、対象物１００に接触することが少なくなり対象物１００の損傷や作業者が倒れることを少なくすることができる。また、左側作業台１０ａと右側作業台１０ｂの内側面側１０ａ１，１０ｂ１が接触することにより作業者が倒れることを少なくすることができる。更に、作業台１を収納する際にも、図５に示すように左側作業台１０ａと右側作業台１０ｂの内側面側１０ａ１，１０ｂ１を揃えたり、図６に示すように、内側面側１０ａ１，１０ｂ１を揃えつつ、２組の作業台１の前面側１０ａ２，１０ｂ２を揃えることができ、コンパクトに収納することができる。
【００３５】
ここで、左側支持構造１３ａは、左側踏部１１ａから下方に直線状にかつ棒状に延びる複数の左側支持脚部より詳しくは第１の支持脚部１３ａ１乃至第４の支持脚部１３ａ４を有し、右側支持構造１３ｂは、右側踏部１１ｂから下方に直線状にかつ棒状に延びる複数の右側支持脚部より詳しくは第１の支持脚部１３ｂ１乃至第４の支持脚部１３ｂ４を有している。
【００３６】
すなわち、第１支持脚部１３ａ１，１３ｂ１は、扇形より詳しくは１／４円形の中心を含む踏部１１ａ，１１ｂの隅部から下方に垂下し、第２の支持脚部１３ａ２，１３ｂ２および第３の支持脚部１３ａ３，１３ｂ３は、円弧部１１ａ´，１１ｂ´の端部を含む踏部１１ａ，１１ｂの隅部から踏部１１ａ，１１ｂの直線部１１ａ´´，１１ｂ´´に沿ってかつ下方に外側に傾斜するように延びており、第４の支持脚部１３ａ４，１３ｂ４は、円弧部１１ａ´，１１ｂ´の中間部から下方に外側に傾斜するように延びている（第１支持脚部１３ａ１，１３ｂ１は、前部の内側に設けられ、第２の支持脚部１３ａ２，１３ｂ２は、後部の内側に設けられ、第３の支持脚部１３ａ３，１３ｂ３は、前部の外側に設けられ、第４の支持脚部１３ａ４，１３ｂ４は、第２の支持脚部１３ａ２，１３ｂ２と第３の支持脚部１３ａ３，１３ｂ３の中間に設けられている）。
【００３７】
なお、第１の支持脚部１３ａ１，１３ｂ１乃至第４の支持脚部１３ａ４，１３ｂ４の下端には、弾力性を有する材料１３ａ´，１３ｂ´が設けられている。弾力性を有する材料１３ａ´，１３ｂ´は、例えばゴムや樹脂等の材料を用いることができる。
【００３８】
更に、各支持構造１３ａ，１３ｂは、左右方向に延びて支持脚部１３ａ１乃至１３ａ４，１３ｂ１乃至１３ｂ４間を連結する連結部１６ａ，１６ｂを有している。
【００３９】
すなわち、連結部１６ａ，１６ｂは、棒状または細い板状としており、左側支持脚部１３ａ１乃至１３ａ４間を連結する左側連結部１６ａを有するとともに、右側支持脚部１３ｂ１乃至１３ｂ４間を連結する右側連結部１６ｂを有している。
【００４０】
そして、各連結部１６ａ，１６ｂは、各傾斜部１４ａ，１４ｂに設けられ、円弧部１１ａ´，１１ｂ´の形状に沿って湾曲する湾曲連結部１６ａ１，１６ｂ１と、直交部１５ａ，１５ｂに設けられ、半径部１１ａ´´，１１ｂ´´に沿って直線的に形成される直線連結部１６ａ２，１６ｂ２と、を有している。
【００４１】
また、各前面側１０ａ２，１０ｂ２の直交部１５ａ２，１５ｂ２は、前方に突出する突出部１７ａ，１７ｂを有し、突出部１７ａ，１７ｂは、ゴムや樹脂等の弾力性を有する材料で形成されている。突出部１７ａ，１７ｂは、各前面側１０ａ２，１０ｂ２の上部側より詳しくは上端に設けられている。
【００４２】
このように各前面側１０ａ２，１０ｂ２の直交部１５ａ２，１５ｂ２は、前方に突出する突出部１７ａ，１７ｂを有し、突出部１７ａ，１７ｂは、弾力性を有する材料で形成されることとすれば、図７に示すように、作業台１の前面側１０ａ２，１０ｂ２が営業用車両等の作業の対象物１００と接触する場合にあっても対象物１００が損傷することを少なくすることができる。また、突出部１７ａ，１７ｂを、各前面側１０ａ２，１０ｂ２の上部側より詳しくは上端に設けることとしたので、作業台１が対象物１００に接触する場合にあっても作業台１の下端側は接触し辛く、作業者が倒れる等の危険を少なくすることができる。
【００４３】
以上説明したように本発明の作業台１は、左側踏部１１ａを有する左側作業台１０ａと、右足を載せる右側踏部１１ｂを有する右側作業台１０ｂと、を有し、左側作業台１０ａは、左足を載せる左側足載部１２ａを有するとともに、右側作業台１０ｂは、右足を載せる右側足載部１２ｂを有することとしたので、作業台１に足を載せたまま移動することができる。
【００４４】
また、各足載部１２ａ，１２ｂは、各足を抜き差し可能に形成されることとしたので、足が作業台１０に固定されることがなく、作業時に使用者が倒れる恐れがあっても、足を足載部１２ａ，１２ｂから抜くことができ、安全性を向上させることができる。
【００４５】
更に、各支持構造１３ａ，１３ｂは、下端の寸法が、踏部１１ａ，１１ｂの寸法よりも小さい寸法に設定されることとしたので、屋外で作業する場合に、石や異物等の上に支持構造１３ａ，１３ｂの下端が乗ることによりバランスを失うことが少なくなり、安全性を更に向上させることができる。
【００４６】
更にまた、各支持構造１３ａ，１３ｂは、下端が棒状に形成されることとしたので、石や異物等の上に支持構造１３ａ，１３ｂの下端が乗ることを更に少なくすることができる。
【００４７】
また、左側支持構造１３ａは、左側踏部１１ａに対し少なくとも下端が外側に突出するように形成されるとともに、右側支持構造１３ｂは、右側踏部１１ｂに対し少なくとも下端が外側に突出するように形成されることとしたので、地面に対し作業台を安定して接地させることができる。
【００４８】
より詳しくは、左側支持構造１３ａは、左側踏部１１ａに対し外側に傾斜するように形成される左側傾斜部１４ａを有するとともに、右側支持構造１３ｂは、右側踏部１１ｂに対し外側に傾斜するように形成される右側傾斜部１４ｂを有することとしたので、地面に対し作業台を鋭角的に接地させることができ、安全性を更に一層向上させることができる。
【００４９】
更に、各支持構造１３ａ，１３ｂは、各踏部１１ａ，１１ｂから下方に直線状にかつ棒状に延びる第１の支持脚部１３ａ１，１３ｂ１乃至第３の支持脚部１３ａ３，１３ｂ３を有し、第１支持脚部１３ａ１，１３ｂ１は、半径部１１ａ´´，１１ｂ´´の一端であって扇形より詳しくは１／４円形の中心を含む各踏部１１ａ，１１ｂの隅部から直交部１５ａ，１５ｂに沿って下方に垂下し、第２の支持脚部１３ａ２，１３ｂ２および第３の支持脚部１３ａ３，１３ｂ３は、半径部１１ａ´´，１１ｂ´´と円弧部１１ａ´，１１ｂ´との結点を含む各踏部１１ａ，１１ｂの隅部から直交部１５ａ，１５ｂに沿ってかつ傾斜部１４ａ，１４ｂに沿って下方に外側に延びるように形成することとしたので、支持脚部１３ａ１乃至１３ａ３，１３ｂ１乃至１３ｂ３により踏部１１ａ，１１ｂを確実に支持することができる。
【００５０】
更にまた、各支持構造１３ａ，１３ｂは、第４の支持脚部１３ａ４，１３ｂ４を有し、第４の支持脚部１３ａ４，１３ｂ４は、円弧部１１ａ´，１１ｂ´の中間部から傾斜部１４ａ，１４ｂに沿って下方に外側に延びることとしたので、支持脚部１３ａ４，１３ｂ４により踏部１１ａ，１１ｂを更に確実に支持することができる。
【００５１】
また更に、各支持構造１３ａ，１３ｂは、各傾斜部１４ａ，１４ｂおよび各直交部１５ａ，１５ｂに左右方向に延びて支持脚部１３ａ１乃至１３ａ４，１３ｂ１乃至１３ｂ４間を連結する連結部１６ａ，１６ｂを有することとしたので、支持脚部１３ａ１乃至１３ａ４，１３ｂ１乃至１３ｂ４による踏部１１ａ，１１ｂの支持を強固に行うことができる。
【００５２】
また、連結部１６ａ，１６ｂは、傾斜部１４ａ，１４ｂに設けられ、円弧部１１ａ´，１１ｂ´の形状に沿って湾曲する湾曲連結部１６ａ１，１６ｂ１と、直交部１５ａ，１５ｂに設けられ、半径部１１ａ´´，１１ｂ´´の形状に沿って直線的に形成される直線連結部１６ａ２，１６ｂ２と、を有することとしたので、踏部１１ａ，１１ｂの形状に沿うように支持脚部１３ａ１乃至１３ａ４，１３ｂ１乃至１３ｂ４が連結され、支持脚部１３ａ１乃至１３ａ４，１３ｂ１乃至１３ｂ４による踏部１１ａ，１１ｂの支持を更に強固に行うことができる。
【００５３】
なお、本発明は上述した実施形態に限定されず特許請求の範囲を逸脱しない範囲内において、種々の変形実施、応用実施が可能であることは勿論である。
【００５４】
すなわち、例えば、上述した実施形態にあっては、連結部１６ａ，１６ｂは、棒状または細い板状とすることとしているが、図８に示す作業台２のように、連結部１６ａ´，１６ｂ´を所定の幅を持った幅広の板状として踏部１１ａ，１１ｂの下端から下方に延びるように形成することとしてもよい。
【００５５】
また、上述した実施形態にあっては、各足載部１２ａ，１２ｂは、後部に開口１２ａ´，１２ｂ´し、前部および側部は閉塞することとしているが、図９に示す作業台３の各足載部１２ａ３，１２ｂ３ように、後部に開口１２ａ３´，１２ｂ３´を形成するとともに、前部にも開口１２ａ３´´，１２ｂ３´´を形成し、差し込んだ足の先端が前部から突出するようにしてもよい。また、図１０に示す作業台４の各足載部１２ａ４，１２ｂ４ように、前部および後部が開口する足載部１２ａ４，１２ｂ４を２列並べて配置することとしてもよい。
【００５６】
更に、上述した実施形態にあっては、踏部１１ａ，１１ｂを扇形とすることとしているが、図１１および図１２に示す作業台５，６の各踏部１１ａ５，１１ｂ５，１１ａ６，１１ｂ６のように、三角形状や矩形状としたり、矩形状は、図１３に示す作業台７の各踏部１１ａ７，１１ｂ７のように、細長い長尺な形状とすることもでき、更には、図１４に示す作業台８の各踏部１１ａ８，１１ｂ８のように、扇形を楕円形の扇形より詳しくは１／４楕円形とすることができる。すなわち、作業台は、支持構造に傾斜部と直交部を有することとすれば、本発明の目的を所要に達成することができる。なお、上述した作業台１乃至８は、組立可能に形成することとすれば、更に好ましい。
【００５７】
更にまた、上述した実施形態にあっては、各支持構造１３ａ，１３ｂは、各踏部１１ａ，１１ｂから下方に直線状にかつ棒状に延びる第１の支持脚部１３ａ１，１３ｂ１乃至第４の支持脚部１３ａ４，１３ｂ４を有するとともに、各支持構造１３ａ，１３ｂは、各傾斜部１４ａ，１４ｂおよび各直交部１５ａ，１５ｂに左右方向に延びて支持脚部１３ａ１，１３ｂ１乃至１３ａ４，１３ｂ４間を連結する連結部１６ａ，１６ｂを有することとしているが、図１５に示す作業台９のように、各支持構造１３０ａ，１３０ｂは、各踏１１１ａ，１１１ｂ部と例えば成型金型等により一体に形成され、各踏部１１１ａ，１１１ｂから連続するように、かつ、作業台９の側周を覆うように、各踏部１１１ａ，１１１ｂの周縁部１１１ａ´´´，１１１ｂ´´´の全ての部分から下方に板状に延びることとしてもよい（各支持構造１３０ａ，１３０ｂは、板状で内側が中空とすることができる）。
【００５８】
図１５に示す作業台９においては、各支持構造１３０ａ，１３０ｂの板状の下端縁１３０ａ´，１３０ｂ´は接地し、左側踏部１１１ａを支持し下方に延びる左側支持構造１３０ａを有するとともに、右側踏部１１１ｂを支持し下方に延びる右側支持構造１３０ｂを有し、各支持構造１３０ａ，１３０ｂは、下端縁１３０ａ´，１３０ｂ´の寸法（下端縁の周縁長さ）が、各踏部１１１ａ，１１１ｂの縁部の寸法（各踏部の縁部の周縁長さ）よりも大きい寸法に設定することができる。
【００５９】
なお、図１５に示す作業台９においても、左側踏部１１１ａを有する左側作業台１００ａと、右側踏部１１１ｂを有する右側作業台１００ｂと、を有する。そして、左側作業台１００ａは、左足を載せる左側足載部１２０ａを有するとともに、右側作業台１００ｂは、右足を載せる右側足載部１２０ｂを有し、各足載部１２０ａ，１２０ｂは、各足を差し込みつつ載せることとし、より詳しくは、各足を抜き差し可能に形成されている。
【００６０】
また、作業台９においても、左側支持構造１３０ａは、左側踏部１１１ａに対し外側に傾斜するように形成される左側傾斜部１４０ａを有するとともに、右側支持構造１３０ｂは、右側踏部１１０ｂに対し外側に傾斜するように形成される右側傾斜部１４０ｂを有し、更に、左側支持構造１３０ａは、左側踏部１１０ａに対し直交するように形成される左側直交部１５０ａを有し、右側支持構造１３０ｂは、右側踏部１１１ｂに対し直交するように形成される右側直交部１５０ｂを有する。
【００６１】
更に、各直交部１５０ａ，１５０ｂは、内側面側１００ａ１，１００ｂ１および前面側１００ａ２，１００ｂ２に設けられ、各踏部１１１ａ，１１１ｂは、扇形より詳しくは円形の扇形更に詳しくは１／４円形とし、各傾斜部１４０ａ，１４０ｂは、１／４円形の円弧部１１０ａ´，１１０ｂ´の下方に形成され、各直交部１５０ａ，１５０ｂは、１／４円形の２本の半径部１１０ａ´´，１１０ｂ´´の下方に形成することができる
【００６２】
更にまた、上述した実施形態にあっては、各直交部１５ａ，１５ｂ，１５０ａ，１５０ｂは、内側面側１０ａ１，１０ｂ１，１００ａ１，１００ｂ１および前面側１０ａ２，１０ｂ２，１００ａ２，１００ｂ２のいずれにも設けることとしているがいずれか一方としても所要の効果を奏する。すなわち、各直交部１５ａ，１５ｂ，１５０ａ，１５０ｂは、内側面側１０ａ１，１０ｂ１，１００ａ１，１００ｂ１および／または前面側１０ａ２，１０ｂ２，１００ａ２，１００ｂ２に設けることとすればよい。
【００６３】
例えば、図１６に示す作業台１０のように、内側面側１００ａ１，１００ｂ１を直交部として、前面側１００ａ２，１００ｂ２を外側に傾斜するように形成される傾斜部とすることとしたり、図１７に示す作業台１１のように、前面側１００ａ２，１００ｂ２を直交部として、内側面側１００ａ１，１００ｂ１を外側に傾斜するように形成される傾斜部とする等、内側面側１０ａ１，１０ｂ１，１００ａ１，１００ｂ１および前面側１０ａ２，１０ｂ２，１００ａ２，１００ｂ２のいずれか一方を外側に傾斜するように形成される傾斜部とすることとしても所要の効果を奏する（図１６および図１７に示す作業台１０，１１において、符合の示されていない部分であって、他の図と同様の部分は他の図と同様の構成とするものとする）。
【００６４】
なお、上述した図１５乃至図１７に示す変形例の作業台９，１０，１１の踏部１１１ａ，１１１ｂにおいて、図１１および図１２に示す作業台５，６の各踏部１１ａ５，１１ｂ５，１１ａ６，１１ｂ６のように、三角形状や矩形状としたり、矩形状は、図１３に示す作業台７の各踏部１１ａ７，１１ｂ７のように、細長い長尺な形状とすることとしたり、更には、図１４に示す作業台８の各踏部１１ａ８，１１ｂ８のように、扇形を楕円形の扇形より詳しくは１／４楕円形とすることとしてもよい（図１５乃至図１７においては、左側作業台のみを図示し、右側作業台は同様の構成であるとして図を省略するとともに、右側作業台の対応する符合は括弧内において並記している）。
【符号の説明】
【００６５】
１，２，３，４，５，６，７，８，９，１０，１１：作業台
１０ａ：左側作業台
１０ａ´：上面
１０ａ１：内側面側
１０ａ２：前面側
１０ｂ：右側作業台
１０ｂ´：上面
１０ｂ１：内側面側
１０ｂ２：前面側
１１ａ：左側踏部
１１ａ´：円弧部
１１ａ´´：直線部
１１ｂ：右側踏部
１１ｂ´：円弧部
１１ｂ´´：直線部
１２ａ：左側足載部
１２ａ３：足載部
１２ａ４：足載部
１２ａ´：開口
１２ａ３´，１２ａ３´´：開口
１２ｂ：右側足載部
１２ｂ３：足載部
１２ｂ４：足載部
１２ｂ´：開口
１２ｂ３´，１２ｂ３´´：開口
１３ａ：左側支持構造
１３ａ´：弾力性を有する材料
１３ｂ：右側支持構造
１３ｂ´：弾力性を有する材料
１３ａ１乃至１３ａ４，１３ｂ１乃至１３ｂ４：支持脚部
１４ａ：左側傾斜部
１４ｂ：右側傾斜部
１５ａ：左側直交部
１５ｂ：右側直交部
１６ａ：左側連結部
１６ａ´：連結部
１６ｂ´：連結部
１６ａ１：湾曲連結部
１６ａ２：直線連結部
１６ｂ：右側連結部
１６ｂ１：湾曲連結部
１６ａ２：直線連結部
１７ａ：突出部
１７ｂ：突出部
１００ａ：左側作業台
１００ａ１：内側面側
１００ａ２：前面側
１００ｂ：右側作業台
１００ｂ１：内側面側
１００ｂ２：前面側
１１１ａ：左側踏部
１１１ａ´´´：周縁部
１１０ａ´：円弧部
１１０ａ´´：半径部
１１１ｂ：右側踏部
１１１ｂ´´´：周縁部
１１０ｂ´：円弧部
１１０ｂ´´：半径部
１２０ａ：左側足載部
１２０ｂ：右側足載部
１３０ａ：左側支持構造
１３０ａ´：下端縁
１３０ｂ：右側支持構造
１３０ｂ´：下端縁
１４０ａ：左側傾斜部
１４０ｂ：右側傾斜部
１５０ａ：左側直交部
１５０ｂ：右側直交部
【図１】
2020079549.tif 000003
【図２】
2020079549.tif 000004
【図３】
2020079549.tif 000005
【図４】
2020079549.tif 000006
【図５】
2020079549.tif 000007
【図６】
2020079549.tif 000008
【図７】
2020079549.tif 000009
【図８】
2020079549.tif 000010
【図９】
2020079549.tif 000011
【図１０】
2020079549.tif 000012
【図１１】
2020079549.tif 000013
【図１２】
2020079549.tif 000014
【図１３】
2020079549.tif 000015
【図１４】
2020079549.tif 000016
【図１５】
2020079549.tif 000017
【図１６】
2020079549.tif 000018
【図１７】
2020079549.tif 000019